(57)【要約】【課題】噴霧装置において液体容器の着脱を容易にして使い勝手を向上させる。【解決手段】噴霧装置１００は、気体容器に収容された気体を気体用ノズルの先端口から噴射させて生じた負圧により、液体容器６に収容された液体を液体用ノズル１２の先端口から吐出させて気体と合流させて噴霧する。各容器と各ノズルは、ケース１内に収納されている。ケース１には、外方へ開口する液体容器収納部１０が設けられている。液体容器６は、液体容器収納部１０に対して挿抜可能であって、該液体容器６の内部から外部へ通じる液体通路２１ａを有する。液体容器６が液体容器収納部１０に挿入されたときに、液体通路２１ａが液体用ノズル１２の基端口と接続されるように液体容器６を位置決めして、液体容器収納部１０から脱落しないように液体容器６を保持する位置決め保持構造２０が設けられている。【選択図】図２
2016159970.tif 000002
【特許請求の範囲】
【請求項１】
気体を収容した気体容器と、
液体を収容した液体容器と、
前記気体を噴射させる気体用ノズルと、
前記液体を噴射させる液体用ノズルと、
前記各容器および前記各ノズルが収納されるケースと、を備え、
前記気体容器に収容された気体を前記気体用ノズルの先端口から噴射させて生じた負圧により、前記液体容器に収容された液体を前記液体用ノズルの先端口から吐出させて前記気体と合流させて噴霧する噴霧装置において、
外方へ開口するように前記ケースに設けられ、前記液体容器が挿抜可能に収納される液体容器収納部と、
前記液体容器の内部から外部へ通じるように設けられた液体通路と、
前記液体容器が前記液体容器収納部に挿入されたときに、前記液体通路が前記液体用ノズルの基端口と接続されるように前記液体容器を位置決めして、前記液体容器収納部から脱落しないように前記液体容器を保持する位置決め保持構造と、を備えたことを特徴とする噴霧装置。
【請求項２】
請求項１に記載の噴霧装置において、
前記気体容器の気体を流出させる流出口から前記気体用ノズルの基端口へ通じる気体通路と、
前記気体通路を開閉する開閉ユニットと、
前記気体用ノズルと前記液体用ノズルとが一体化されたノズルユニットと、
前記ノズルユニットに設けられ、前記両ノズルの先端口とそれぞれ連通して外方へ開口する噴霧口と、をさらに備え、
前記気体用ノズルの先端口の前方近傍に前記液体用ノズルの先端口が位置し、かつ前記気体用ノズルの向きと前記液体用ノズルの向きとが直交している、ことを特徴とする噴霧装置。
【請求項３】
請求項１または請求項２に記載の噴霧装置において、
前記液体容器収納部は、前記気体容器の上部でかつ前記両ノズルの下部に配置されて、前記ケースの側方へ開口しており、
前記液体容器が前記液体容器収納部に挿入された状態で、前記液体容器収納部から露出する前記液体容器の露出面は、前記ケースの外側面と同一の曲率半径を有する曲面を構成する、ことを特徴とする噴霧装置。
【請求項４】
請求項１ないし請求項３のいずれかに記載の噴霧装置において、
前記位置決め保持構造は、
前記液体容器の挿抜方向と直交する幅方向において、
前記液体容器収納部の少なくとも一方の端部に設けられた第１係合部と、
前記液体容器の少なくとも一方の端部に設けられた第２係合部と、を含み、
前記第１係合部と前記第２係合部のうち、一方は前記幅方向へ突出した凸部であって、他方は前記凸部と対向する凹部であり、
前記液体容器が前記液体容器収納部に挿入されたときに、前記第１係合部と前記第２係合部とが係合する、ことを特徴とする噴霧装置。
【請求項５】
請求項１ないし請求項４のいずれかに記載の噴霧装置において、
前記液体用ノズルは、前記ケースの高さ方向と平行になるように、前記ケース内に固定され、
前記液体通路は、前記高さ方向と平行に設けられ、一端部が前記液体容器の内部に挿入されて他端部が前記液体容器の外部に突出した吐出管から構成され、
前記位置決め保持構造は、
前記液体用ノズルの基端口を囲むように設けられた第３係合部と、
前記吐出管の他端に設けられた第４係合部と、
前記吐出管を前記高さ方向と平行に外方へ付勢する第１付勢部材と、を含み、
前記第３係合部と前記第４係合部のうち、一方は前記高さ方向へ突出した凸部であって、他方は前記凸部と対向する凹部であり、
前記液体容器が前記液体容器収納部に挿入されたときに、前記第３係合部と前記第４係合部とが係合して、前記第１付勢部材により前記液体容器が前記吐出管の一端部側にある前記液体容器収納部の壁面に押し付けられる、ことを特徴とする噴霧装置。
【請求項６】
請求項５に記載の噴霧装置において、
前記液体用ノズルの基端口側の端部に設けられ、前記液体用ノズルを保護する保護部材をさらに備え、
前記保護部材は、前記液体容器収納部の開口部に向かって延びるガイド部を有し、
前記ガイド部は、前記液体用ノズルの基端口側の端部より該基端口の開口方向へ突出していない、ことを特徴とする噴霧装置。
【請求項７】
請求項１ないし請求項６のいずれかに記載の噴霧装置において、
前記位置決め保持構造による前記液体容器の保持を解除して、前記液体容器を前記液体容器収納部から抜去可能にする保持解除構造をさらに備えた、ことを特徴とする噴霧装置。
【請求項８】
請求項７に記載の噴霧装置において、
前記保持解除構造は、
前記液体容器収納部の奥壁に相当する前記ケースの側壁に設けられた貫通孔と、
前記液体容器が前記液体容器収納部に挿入された状態で、前記貫通孔から突出するように前記液体容器に設けられた突出部と、から構成され、
前記貫通孔から突出した前記突出部を前記ケース内へ押し込むことで、前記液体容器収納部内の前記液体容器が抜去方向へ移動して、前記位置決め保持構造による前記液体容器の保持が解除される、ことを特徴とする噴霧装置。
【請求項９】
請求項１ないし請求項８のいずれかに記載の噴霧装置において、
前記液体容器は、
内部へ液体を注入するための注入口と、
前記注入口を閉塞する蓋と、
前記蓋を前記液体容器に係止する係止具と、を有することを特徴とする噴霧装置。
【請求項１０】
請求項１ないし請求項９のいずれかに記載の噴霧装置において、
前記液体用ノズルの先端口と対向するように、前記ケースに設けられた挿通孔と、
前記挿通孔を通して前記液体用ノズルに対して着脱可能なノズルクリーナと、をさらに備え、
前記ノズルクリーナは、前記液体用ノズルに装着した状態で、前記液体用ノズルの先端口から内部に挿入可能なニードルを有する、ことを特徴とする噴霧装置。
【請求項１１】
請求項１０に記載の噴霧装置において、
前記ノズルクリーナは、
前記液体用ノズルに当該ノズルクリーナを装着した状態で、前記液体用ノズルの先端口と連通して、前記ニードルが出没する出没孔と、
前記ニードルを前記出没孔から没入する方向に付勢する第２付勢部材と、
押圧操作することで、前記ニードルを前記出没孔から突出させて前記液体用ノズルの先端口から内部に挿入する操作子と、をさらに有することを特徴とする噴霧装置。
【請求項１２】
気体を噴射させる気体用ノズルと、液体を噴射させる液体用ノズルと、前記各ノズルが収納されるケースとを備え、前記気体用ノズルの先端口から気体を噴出させて生じた負圧により、前記液体用ノズルの先端口から液体を吐出させて前記気体と合流させて噴霧する噴霧装置において用いられる、前記液体を収容する液体容器であって、
外方へ開口するように前記ケースに設けられた液体容器収納部に対して挿抜可能であり、
当該液体容器の内部から外部へ通じる液体通路と、
前記液体容器収納部に挿入されたときに、該液体容器収納部に設けられた第１係合部と係合する第２係合部と、を備え、
前記第１係合部と前記第２係合部の係合により、前記液体通路と前記液体用ノズルの基端口とが接続されるように位置決めされて、前記液体容器収納部から離脱しないように保持される、ことを特徴とする液体容器。
【請求項１３】
請求項１２に記載の液体容器において、
当該液体容器が前記液体容器収納部に挿入された状態で、前記液体容器収納部から露出する当該液体容器の露出面は、前記ケースの外側面と同一の曲率半径を有する曲面を構成する、ことを特徴とする液体容器。
【発明の詳細な説明】
【技術分野】
【０００１】
本発明は、気体の噴流により液体を噴霧する噴霧装置と、該噴霧装置で用いられる液体容器に関するものである。
【背景技術】
【０００２】
炭酸ガスなどの気体を収容した気体容器と、美容液や化粧水などの液体を収容した液体容器とを備えた噴霧装置がある。この噴霧装置は、気体容器内の気体を気体用ノズルから噴射させることで生じた負圧により、液体容器内の液体を吸引して液体用ノズルから吐出させ、液体を気体と合流させて外部へ噴霧する。
【０００３】
この種の噴霧装置には、特許文献１のように、液体吐出部、気体噴射部、液体容器、および気体容器が分離したセパレート型のものがある。しかし、セパレート型の噴霧装置では、各部の連結やノズル同士の位置合わせに手間がかかったり、各部を保管する場所や状態に注意を払う必要があったりするので、一般家庭でユーザが取り扱うには難点があった。
【０００４】
それに対して、特許文献２や特許文献３のように、気体容器、気体用ノズル、液体容器、および液体用ノズルなどを、同一のケース内に収納した一体型の噴霧装置がある。この一体型の噴霧装置では、各部がケース内に収納されるので、保管し易く、設置スペースが小さくてすみ、しかもノズル同士を位置合わせする必要がないので、ユーザが容易に取り扱うことができる。
【先行技術文献】
【特許文献】
【０００５】
【特許文献１】特開２０１２−１２５６６４号公報
【特許文献２】特開２０１３−２３３９５８号公報
【特許文献３】実用新案登録第３１８５３１２号公報
【発明の概要】
【発明が解決しようとする課題】
【０００６】
特許文献２や特許文献３のような従来の噴霧装置では、たとえば、噴霧する液体の補充・交換または液体容器の交換・掃除などを行う際に、ケースに対して液体容器を脱着する必要がある。しかし、ケースに対して液体容器を脱着するには、ケースを開閉したり液体容器と液体通路を分離・接続したりしなければならないので、作業が煩雑になり、一般家庭でのユーザによる使い勝手を損なってしまう。
【０００７】
本発明は、上記問題点を解決するものであって、その課題とするところは、噴霧装置において液体容器の着脱を容易にして使い勝手を向上させることである。
【課題を解決するための手段】
【０００８】
本発明による噴霧装置は、気体を収容した気体容器と、液体を収容した液体容器と、気体を噴射させる気体用ノズルと、液体を噴射させる液体用ノズルと、各容器および各ノズルが収納されるケースとを備え、気体容器に収容された気体を気体用ノズルの先端口から噴射させて生じた負圧により、液体容器に収容された液体を液体用ノズルの先端口から吐出させて気体と合流させて噴霧する。そして、外方へ開口するようにケースに設けられ、液体容器が挿抜可能に収納される液体容器収納部と、液体容器の内部から外部へ通じるように設けられた液体通路と、液体容器が液体容器収納部に挿入されたときに、液体通路が液体用ノズルの基端口と接続されるように液体容器を位置決めして、液体容器収納部から脱落しないように液体容器を保持する位置決め保持構造とを備える。
【０００９】
本発明による液体容器は、前記噴霧装置で用いられ、前記液体を収容する容器であって、前記液体容器収納部に対して挿抜可能となっている。液体容器は、当該液体容器の内部から外部へ通じる液体通路と、液体容器収納部に挿入されたときに、該液体容器収納部に設けられた第１係合部と係合する第２係合部とを備える。そして、第１係合部と第２係合部の係合により、液体容器は、液体通路と液体用ノズルの基端口とが接続されるように位置決めされて、液体容器収納部から離脱しないように保持される。
【００１０】
上記構成によると、開口しているケースの液体容器収納部に液体容器を挿入することで、位置決め保持構造により液体容器の液体通路が液体用ノズルの基端口と接続され、液体容器が液体容器収納部に保持される。また、開口している液体容器収納部から液体容器を容易に引き抜くことができる。このため、たとえば、噴霧する液体の補充・交換または液体容器の交換・掃除などを行う際に、ケースを開閉したり液体容器と液体通路を分離・接続したりしなくても、ケースに対して液体容器を簡単に着脱することができ、手間がかからない。よって、噴霧装置および液体容器の使い勝手を向上させることが可能となる。
【００１１】
本発明の噴霧装置は、気体容器の気体を流出させる流出口から気体用ノズルの基端口へ通じる気体通路と、気体通路を開閉する開閉ユニットと、気体用ノズルと液体用ノズルとが一体化されたノズルユニットと、ノズルユニットに設けられ、両ノズルの先端口とそれぞれ連通して外方へ開口する噴霧口とをさらに備えていてもよい。そして、気体用ノズルの先端口の前方近傍に液体用ノズルの先端口が位置し、かつ気体用ノズルの向きと液体用ノズルの向きとが直交するようにしてもよい。
【００１２】
これによると、開閉ユニットにより気体通路を開通させることで、気体容器に収容された気体を、気体通路へ通して気体用ノズルの先端口から噴射することができる。そして、その噴射によって気体用ノズルの前方に生じた負圧により、液体容器に収容された液体を吸引して液体用ノズルの先端口から吐出させ、該液体を気体と合流させて噴霧口から噴霧することができる。また、両ノズルがノズルユニットに一体化されているので、ノズル同士を位置合わせする必要がなく、最適な噴霧状態を保持することができる。
【００１３】
また、本発明では、液体容器収納部は、気体容器の上部でかつ両ノズルの下部に配置されて、ケースの側方へ開口していてもよい。そして、液体容器が液体容器収納部に挿入された状態で、液体容器収納部から露出する液体容器の露出面は、ケースの外側面と同一の曲率半径を有する曲面を構成してもよい。
【００１４】
これにより、気体容器の上部でかつ両ノズルの下部に、液体容器が配置されるので、噴霧時以外のときに、重力により液体容器内の液体が不用意に液体通路を通って液体用ノズル側へ漏出するのを防止することができる。また、液体容器収納部からの液体容器の露出面が、ケースの外側面と同一の曲率半径を有する曲面であるので、該露出面とケースの外側面とが連続した同じ曲面を構成して、噴霧装置の外観を美しくすることができる。
【００１５】
また、本発明では、位置決め保持構造は、液体容器の挿抜方向と直交する幅方向において、液体容器収納部の少なくとも一方の端部に設けられた第１係合部と、液体容器の少なくとも一方の端部に設けられた第２係合部とを含んでいてもよい。そして、第１係合部と第２係合部のうち、一方は前記幅方向へ突出した凸部であって、他方は凸部と対向する凹部であり、液体容器が液体容器収納部に挿入されたときに、第１係合部と第２係合部とが係合してもよい。
【００１６】
これにより、液体容器収納部内で第１係合部と第２係合部とが係合することで、液体容器を幅方向に位置決めして、液体容器収納部から脱落しないように液体容器を保持することができる。
【００１７】
また、本発明では、液体用ノズルは、ケースの高さ方向と平行になるように、ケース内に固定され、液体通路は、前記高さ方向と平行に設けられ、一端部が液体容器の内部に挿入されて他端部が液体容器の外部に突出した吐出管から構成されてもよい。また、位置決め保持構造は、液体用ノズルの基端口を囲むように設けられた第３係合部と、吐出管の他端に設けられた第４係合部と、吐出管を前記高さ方向と平行に外方へ付勢する第１付勢部材とを含んでいてもよい。そして、第３係合部と第４係合部のうち、一方は前記高さ方向へ突出した凸部であって、他方は凸部と対向する凹部であり、液体容器が液体容器収納部に挿入されたときに、第３係合部と第４係合部とが係合して、第１付勢部材により液体容器が吐出管の一端部側にある液体容器収納部の壁面に押し付けられるようにしてもよい。
【００１８】
これにより、液体容器収納部内で第３係合部と第４係合部とが係合することで、液体容器を高さ方向に位置決めして、液体用ノズルの基端口と吐出管の内空部とを連通させ、液体容器収納部から脱落しないように液体容器を保持することができる。また、液体用ノズルと吐出管とが高さ方向に一直線に連通するので、気体用ノズルからの気体の噴射で生じた負圧により、液体容器に収容された液体を液体用ノズルの先端口まで効率よく吸引することができる。
【００１９】
また、本発明では、液体用ノズルの基端口側の端部に設けられ、液体用ノズルを保護する保護部材をさらに備え、保護部材は、液体容器収納部の開口部に向かって延びるガイド部を有していてもよい。ガイド部は、液体用ノズルの基端口側の端部より該基端口の開口方向へ突出しないようにするのが好ましい。
【００２０】
これにより、液体容器収納部に液体容器を挿入する際に、液体容器が液体用ノズルに当接してノズルが損傷したり位置ずれしたりするのを、保護部材により保護することができる。そして、液体容器収納部に液体容器を挿入したときに、位置決め保持構造により液体容器を位置決めして、液体容器の液体通路と液体用ノズルの基端口とを確実に接続することができる。
【００２１】
また、本発明では、位置決め保持構造による液体容器の保持を解除して、液体容器を液体容器収納部から抜去可能にする保持解除構造をさらに備えてもよい。
【００２２】
これにより、液体容器収納部から液体容器を容易に抜去することができる。
【００２３】
保持解除構造は、たとえば、液体容器収納部の奥壁に相当するケースの側壁に設けられた貫通孔と、液体容器が液体容器収納部に挿入された状態で、貫通孔から突出するように液体容器に設けられた突出部とから構成される。この場合、貫通孔から突出した突出部をケース内へ押し込むことで、液体容器収納部内の液体容器が抜去方向へ移動して、位置決め保持構造による液体容器の保持が解除される。
【００２４】
これにより、ケースの貫通孔から突出した液体容器の突出部をケース内へ押し込むことで、液体容器収納部内の液体容器の保持が解除されて、液体容器を液体容器収納部内から容易に引き抜くことができる。
【００２５】
また、本発明では、液体容器は、内部へ液体を注入するための注入口と、注入口を閉塞する蓋と、蓋を液体容器に係止する係止具とを有していてもよい。
【００２６】
これにより、液体容器収納部から液体容器を離脱させた後、液体容器の蓋を開けて、注入口から液体容器内に液体を注入したり、液体容器内を掃除したりすることができる。また、液体容器の蓋を閉じることで、液体容器内の液体が流出するのを防止することができる。さらに、係止具で蓋を液体容器に係止するので、蓋の紛失を防止することができる。
【００２７】
また、本発明では、液体用ノズルの先端口と対向するようにケースに設けられた挿通孔と、挿通孔を通して液体用ノズルに対して着脱可能なノズルクリーナとをさらに備え、ノズルクリーナは、液体用ノズルに装着した状態で、液体用ノズルの先端口から内部に挿入可能なニードルを有していてもよい。
【００２８】
これにより、ノズルクリーナを用いて、液体用ノズルの目詰まりを解消して、液体を正常に噴霧させ続けることができる。
【００２９】
ノズルクリーナは、液体用ノズルに当該ノズルクリーナを装着した状態で、液体用ノズルの先端口と連通して、ニードルが出没する出没孔と、ニードルを出没孔から没入する方向に付勢する第２付勢部材と、押圧操作することで、ニードルを出没孔から突出させて液体用ノズルの先端口から内部に挿入する操作子とをさらに有してもよい。
【００３０】
これにより、ノズルクリーナを液体用ノズルに取り付けて、操作子を押圧操作することにより、ニードルを出没孔から突出させて、液体用ノズルの先端口から内部に挿入し、液体用ノズルの目詰まりを解消することができる。また、非使用時には、第２付勢部材の付勢力によって、ニードルが出没孔から退避して内部へ没入しているので、ニードルで噴霧装置やユーザが損傷するのを防止することができる。
【発明の効果】
【００３１】
本発明によれば、噴霧装置において液体容器の着脱を容易にして使い勝手を向上させることが可能となる。
【図面の簡単な説明】
【００３２】
【図１】本発明の実施形態による噴霧装置の斜視図である。
【図２】図１の噴霧装置の液体容器の離脱状態を前方から見た斜視図である。
【図３】図１の噴霧装置の液体容器の離脱状態を後方から見た斜視図である。
【図４】図１の噴霧装置の縦断面図である。
【図５】図４の開閉ユニットより上部の拡大図である。
【図６】図１の上パーツを下方から見た斜視図である。
【図７】図４の開閉ユニットとブラケットの斜視図である。
【図８】図１の噴霧装置の液体容器収納部に対する液体容器の離脱状態を示した図である。
【図９】図１の噴霧装置の液体容器収納部に対する液体容器の装着状態を示した図である。
【図１０】図１の噴霧装置とノズルクリーナを示した斜視図である。
【図１１】図１０のノズルクリーナの縦断面図である。
【図１２】図１の噴霧装置に対するノズルクリーナの装着状態を示した正面図である。
【図１３】図１の噴霧装置に対するノズルクリーナの装着状態を示した拡大断面図である。
【図１４】図１の噴霧装置におけるノズルクリーナの使用状態を示した拡大断面図である。
【図１５】本発明の他の実施形態による噴霧装置と保護部材を示した拡大断面図である。
【発明を実施するための形態】
【００３３】
以下、本発明の実施形態につき、図面を参照しながら説明する。各図において、同一の部分または対応する部分には、同一符号を付してある。
【００３４】
図１は、本発明の実施形態による噴霧装置１００の斜視図である。図２および図３は、噴霧装置１００の液体容器６の離脱状態を示した斜視図である。図１および図２では、噴霧装置１００を前方Ｆから見た状態を示し、図３では、噴霧装置１００を後方Ｂから見た状態を示している。図４は、噴霧装置１００の縦断面図である。
【００３５】
噴霧装置１００は、図４に示すように、各部（後述する容器２、６とユニット３〜７など）がケース１内に収納された一体型の噴霧装置である。また、噴霧装置１００は、一般家庭で用いられることを考慮して、小型で軽量に構成されており、片手で把持可能な円柱状の外観を有している。
【００３６】
ケース１は、上パーツ１ａ、中間パーツ１ｂ、および下パーツ１ｃから構成されている。図６は、上パーツ１ａを下方から見た斜視図である。
【００３７】
図１〜図４に示すように、上パーツ１ａは中間パーツ１ｂの上方に図示しないロック構造により取り付けられる。下パーツ１ｃは中間パーツ１ｂの下方に図示しないロック構造により取り付けられる。このように各パーツ１ａ〜１ｃを組み立てることで、ケース１が構成されて、ケース１内に収納空間が形成される。
【００３８】
図４に示すように、ケース１内には、下方Ｄから気体容器２、接続ユニット３、減圧ユニット４、開閉ユニット５、液体容器６、およびノズルユニット７などが収納されている。
【００３９】
気体容器２は、内部に圧縮状態の炭酸ガスが収容されたガスボンベから成る。炭酸ガスは、本発明の「気体」の一例である。
【００４０】
接続ユニット３には、ボンベ接続部３１と開栓部３２と気体通路８ａ、８ｂなどが備わっている。気体容器２の径が小さくなっている上部の外周面には、雄ねじ部２ａが形成されている。円筒状のボンベ接続部３１の内周面には、雌ねじ部３１ａが形成されている。開栓部３２の下端は先鋭になっていて、ボンベ接続部３１の内部に突出している。開栓部３２の下端から上端まで貫通するように、気体通路８ａは形成されている。上部にある気体通路８ｂは、気体通路８ａと連通している。
【００４１】
気体容器２をケース１内に収納するには、ケース１の中間パーツ１ｂから下パーツ１ｃを取り外した後、気体容器２の上部の雄ねじ部２ａをボンベ接続部３１の内側の雌ねじ部３１ａに螺合して行く。これにより、接続ユニット３に気体容器２が接続されて、気体容器２の上端部に設けられた封止栓２ｂが、開栓部３２の下端によって突き破られて、気体容器２が開栓される。そして、その気体容器２の突き破られた部分が流出口２ｃとなって、気体容器２内の炭酸ガスが流出口２ｃから気体通路８ａ、８ｂへ流入する。その後、ケース１の中間パーツ１ｂに下パーツ１ｃを取り付けることで、接続ユニット３に接続された気体容器２は下パーツ１ｃによって覆われる。
【００４２】
接続ユニット３の上部（Ｕ方向側）には、減圧ユニット４が接続されている。減圧ユニット４は、気体容器２から接続ユニット３を介して流入した炭酸ガスを減圧する。減圧ユニット４には、炭酸ガスを通す気体通路８ｃ、８ｄ、８ｅが設けられている。気体通路８ｃは接続ユニット３の気体通路８ｂと連通し、気体通路８ｄは気体通路８ｃと連通し、気体通路８ｅは気体通路８ｄと連通している。
【００４３】
減圧ユニット４の上部には、開閉ユニット５が接続されている。図５は、図４の開閉ユニット５より上部の拡大図である。図７は、開閉ユニット５とブラケット１５の斜視図である。
【００４４】
図５に示すように、開閉ユニット５には、気体通路８ｆ、８ｇ、バルブ３３、コイルばね３４、および噴射ボタン９が備わっている。また、図７に示すように、開閉ユニット５の右側面には、チューブ接続部３５が突出するように設けられている。チューブ接続部３５には、図４および図５に示すチューブ１８の一端が接続されている。チューブ１８内は、気体通路８ｈを構成している。
【００４５】
気体通路８ｆは、減圧ユニット４の気体通路８ｅと気体通路８ｇとに連通している。気体通路８ｇは、チューブ接続部３５（図７）の内空部とも連通している。つまり、気体通路８ｇは、一端が気体通路８ｆと連通し、他端がチューブ接続部３５を介してチューブ１８と連通している。
【００４６】
図５に示すように、バルブ３３は、棒状に形成されていて、軸方向が前後方向Ｆ、Ｂと平行になるように設けられている。バルブ３３の一端部は、気体通路８ｇの内部に挿入されていて、他端部は気密状態で気体通路８ｇの外部に突出している。
【００４７】
バルブ３３の他端部には、噴射ボタン９が取り付けられている。噴射ボタン９の前部（Ｆ方向側の部分）は、ケース１の中間パーツ１ｂに設けられたボタン孔１ｄから突出している。たとえばケース１の中央を片手で把持した状態で、その片手の親指で押圧操作可能な位置に、噴射ボタン９は配置されている。
【００４８】
バルブ３３の一端部には、鍔部３３ａが設けられている。気体通路８ｇには、鍔部３３ａが当接する段差部８０が設けられている。コイルばね３４は、図４でＦ方向に付勢されていて、鍔部３３ａを段差部８０に押し付けている。
【００４９】
コイルばね３４の弾性力で、鍔部３３ａが段差部８０に押し付けられることで、気体通路８ｇは閉塞されている。図５において噴霧ボタン９をＢ方向へ押圧操作すると、バルブ３３が後方Ｂへ移動して、鍔部３３ａが段差部８０から離間し、気体通路８ｇが開通して、気体通路８ｇとチューブ接続部３５の内空部とチューブ１８の気体通路８ｆとが連通する。
【００５０】
ケース１の上パーツ１ａの天井面には、ノズルユニット７が固定されている。ノズルユニット７には、気体用ノズル１１と液体用ノズル１２とが一体化されている。つまり、両ノズル１１、１２はケース１内に固定されている。ノズルユニット７の前部には、噴霧口１４が設けられている。
【００５１】
気体用ノズル１１は、先端口１１ａが前方Ｆを向き、基端口１１ｂが後方Ｂを向くように、水平に設けられている。気体用ノズル１１の基端口１１ｂには、チューブ１８の他端が接続されている。
【００５２】
液体用ノズル１２は、先端口１２ａが上方Ｕを向き、基端口１２ｂが下方Ｄを向くように、鉛直に設けられている。また、気体用ノズル１１の先端口１１ａの前方Ｆ近傍に液体用ノズル１２の先端口１２ａが位置し、かつ両ノズル１１、１２の向きが直交するように、両ノズル１１、１２は配置されている。つまり、気体用ノズル１１の先端口１１ａからの気体（炭酸ガス）の噴射方向Ｆと、液体用ノズル１２の先端口１２ａからの液体の吐出方向Ｕとは、直交している。
【００５３】
噴霧口１４は、両ノズル１１、１２の先端口１１ａ、１２ａとそれぞれ連通している。また、噴霧口１４は、ケース１の上パーツ１ａの前部に設けられた開口部１ｅを介して、前側Ｆの外方へ開口している。
【００５４】
気体容器２とユニット３〜５の上部で、かつノズルユニット７の下部には、液体容器６を収納する液体容器収納部１０が配置されている。液体容器収納部１０は、図２に示すように、ケース１の中間パーツ１ｂの上部に凹状に設けられ、前側Ｆの外方へ開口している。液体容器６の内部には、化粧水などの液体が収容される。
【００５５】
図２および図７に示すブラケット１５は、板金から成る。ブラケット１５は、図４、図５、図７、および図８に示すように、開閉ユニット５の上部にねじ止めされていて、液体容器収納部１０の一部を構成する。図８は、液体容器収納部１０に対する液体容器６の離脱状態を示した図である。図９は、液体容器収納部１０に対する液体容器６の装着状態を示した図である。
【００５６】
図２および図８に示すように、ブラケット１５の水平面１５ｈは、液体容器収納部１０の下壁を構成する。水平面１５ｈから立ち上がった左右垂直部１５ｎ、１５ｒ（図７、図８）は、液体容器収納部１０の左右側壁を構成する。中間パーツ１ｂの後部内周面は、液体容器収納部１０の奥壁を構成する。ブラケット１５の右垂直部１５ｒと中間パーツ１ｂの右側内周面との間には、チューブ１８が通されている（図８、図９）。
【００５７】
液体容器６は、液体容器収納部１０に対してＢ、Ｆ方向に挿抜可能なカートリッジである。図２、図３、図８、および図９に示すように、液体容器６の前面６ｆと後面６ｂは曲面から成り、その他の面（符号省略）は平面から成る。図１および図９に示すように、液体容器６を液体容器収納部１０に挿入した状態で、液体容器６の前面６ｆは、液体容器収納部１０から露出し、中間パーツ１ｂの外側面（外周面）と同一の曲率半径を有する曲面を構成する。
【００５８】
図４および図５に示すように、液体容器６の上部には、注入口６ａが形成されている。蓋１６は、注入口６ａに対して着脱可能になっている。注入口６ａから蓋１６を外すと、注入口６ａから液体容器６の内部に液体を注入することができる。注入口６ａに蓋１６を装着すると、注入口６ａが閉塞される。本例では、液体容器６の内部に化粧水を収容している。
【００５９】
蓋１６には、図２、図３、図８、および図９に示すように、側方に延びるリード部１６ｓが形成されている。液体容器６の上部には、蓋１６のリード部１６ｓを液体容器６に係止する係止具１７が設けられている。詳しくは、係止具１７は、ねじから成り、リード部１６ｓの環状部１６ｗを貫通して液体容器６に螺合されることにより、蓋１６を液体容器６上に繋ぎ止める。
【００６０】
図２〜図５、図８、および図９に示すように、液体容器６には、吐出管２１が設けられている。吐出管２１は、高さ方向Ｕ、Ｄと平行に設けられ、液体容器６の上面に設けられた挿通孔６ｃ（図５）を貫通している。吐出管２１と挿通孔６ｃとの間にはあそび（隙間）が設けられているため、吐出管２１は挿通孔６ｃに対して上下方向Ｕ、Ｄに移動可能で、かつ径方向にも若干移動可能になっている。挿通孔６ｃより上部の吐出管２１の周囲には、Ｏリングなどのシール部材２４が取り付けられていている。シール部材２４は、液体容器６内の化粧水が吐出管２１と挿通孔６ｃの間から漏出するのを防止している。
【００６１】
吐出管２１の一端部（下端部）２１ｂは、液体容器６の内部に挿入されて、該内部に設けられた支持部６ｄによって側方から支持されている。支持部６ｄには、スリット６ｓが設けられている。
【００６２】
吐出管２１の他端部（上端部）２１ｕは、液体容器６の外部に突出している。吐出管２１の上端には、フランジ部２１ｆが形成されている。フランジ部２１ｆの下面に当接するように、吐出管２１の周囲にはコイルばね２２が取り付けられている。コイルばね２２は、吐出管２１を上方Ｕへ付勢している。コイルばね２２は、本発明の「第１付勢部材」の一例である。
【００６３】
液体容器６内において、吐出管２１の中央には、抜け止め鍔２３が設けられている。抜け止め鍔２３は、吐出管２１が挿通孔６ｃから脱落するのを防止している。
【００６４】
吐出管２１の内空部は、液体容器６の内底部６ｔから上側Ｕの外部へ通じていて、液体容器６に収容された化粧水を外部へ吐出する液体通路２１ａを構成する。
【００６５】
位置決め保持構造２０は、液体容器６と液体容器収納部１０とに分散して設けられている。位置決め保持構造２０は、図４および図５に示すように、液体容器６が液体容器収納部１０に挿入されたときに、液体通路２１ａが液体用ノズル１２の基端口１２ｂと接続されるように液体容器６を位置決めして、液体容器収納部１０から脱落しないように液体容器６を保持する。
【００６６】
詳しくは、図８などに示すように、位置決め保持構造２０には、液体容器収納部１０に設けられた左右（Ｌ、Ｒ方向）１対のリブ１ｋと、各リブ１ｋに設けられた第１係合部１ｍと、液体容器６に設けられた左右１対の立壁６ｗと、各立壁６ｗに設けられた第２係合部６ｍとが含まれている。
【００６７】
各リブ１ｋは、上方Ｕから液体容器収納部１０の幅方向（左右方向）Ｌ、Ｒの両端部に突出するように、ケース１の上パーツ１ａに設けられている（図６）。また、各リブ１Ｌは、幅方向Ｌ、Ｒに所定の弾性力を有している。
【００６８】
液体容器６を液体容器収納部１０に収納した状態で（図４、図５）、各リブ１ｋの下端と液体容器６の上面との間には、所定の隙間が形成される。第１係合部１ｍは、液体容器収納部１０の中心と反対側の幅方向Ｌ、Ｒへ突出するように、各リブ１ｋに設けられている。詳しくは、各第１係合部１ｍは、山状に形成された凸部からなり、各第１係合部１ｍのＦ、Ｂ方向を向いた面は傾斜している。
【００６９】
図８に示すように、各立壁６ｗは、液体容器６の前部でかつ幅方向Ｌ、Ｒの両端部に立設されている。また、各立壁６ｗは、液体容器６の前面６ｆと連続しつつ後方Ｂへ所定長延びている。各立壁６ｗの後端部（Ｂ方向側の端部）は所定の曲率半径で丸められている。第２係合部６ｍは、各リブ１ｋの第１係合部１ｍと対向するように、各立壁６ｗに設けられている。詳しくは、各第２係合部６ｍは、谷状に形成された凹部からなり、各第２係合部６ｍのＦ、Ｂ方向を向いた面は傾斜している。
【００７０】
１対のリブ１ｋの間隔は、１対の立壁６ｗの間隔より狭くなっている。１対の第１係合部１ｍの間隔は、１対の立壁６ｗの間隔より若干広くて、１対の第２係合部６ｍの間隔とほぼ同等になっている。
【００７１】
また、位置決め保持構造２０には、図５などに示すように、液体容器収納部１０に設けられた第３係合部１２ｃと、液体容器６に設けられた吐出管２１と第４係合部２１ｃとコイルばね２２も含まれている。
【００７２】
第３係合部１２ｃは、下向き（Ｄ方向）の凸部からなり、液体用ノズル１２の基端口１２ｂを囲みつつ、上方Ｕから液体容器収納部１０に突出するように、液体用ノズル１２の下端に設けられている。第３係合部１２ｃの下端周縁部は、所定の曲率半径で丸められている（後述の図１３も参照）。
【００７３】
第４係合部２１ｃは、上向き（Ｕ方向）凹部からなり、第３係合部１２ｃと対向するように、吐出管２１の他端（上端）に設けられている。詳しくは、第４係合部２１ｃは、吐出管２１の内空部２１ａを囲うように、フランジ部２１ｆに環状に形成されていて、第４係合部２１ｃの上端周縁部は緩やかに傾斜している（図１３も参照）。フランジ部２１ｆの上端周縁部も緩やかに傾斜している。
【００７４】
また、液体容器６と液体容器収納部１０には、位置決め保持構造２０による液体容器６の保持を解除して、液体容器６を液体容器収納部１０から抜去可能にする保持解除構造３０が設けられている。
【００７５】
保持解除構造３０は、図３〜図５、図８、および図９に示すように、液体容器収納部１０の奥壁（中間パーツ１ｂの側壁）に設けられた貫通孔１ｇと、液体容器６の後面６ｂに設けられた突出部６ｇとから構成されている。図３に示すように、後方Ｂから見て、貫通孔１ｇと突出部６ｇは矩形状に形成されている。図４、図５、および図９に示すように、液体容器収納部１０の奥まで液体容器６を挿入した状態で、突出部６ｇは貫通孔１ｇから若干突出する。
【００７６】
図２、図３、および図８に示す分離状態から、液体容器６を液体容器収納部１０に対してＢ方向に挿入して行く。すると、１対の第１係合部１ｍが１対の立壁６ｗにそれぞれ当接して、１対のリブ１ｋが一旦互いに接近するように若干撓んだ後、図９に示すように、１対の第１係合部１ｍと１対の第２係合部６ｍとが係合する。このとき、立壁６ｗの後端部、第１係合部１ｍのＦ方向側の面、および第２係合部６ｍのＢ方向側の面が傾斜しているので、第１係合部１ｍと立壁６ｗとが引っ掛かることなく摺動して、第１係合部１ｍと第２係合部６ｍとがスムーズに係合する。
【００７７】
第１係合部１ｍと第２係合部６ｍとが係合すると、液体容器収納部１０内で液体容器６が幅方向Ｌ、Ｒに位置決めされて、液体容器収納部１０から液体容器６が脱落しないように保持される。また、第１係合部１ｍと立壁６ｗとの摺動時に、液体容器６の挿入に対する抵抗力が高くなるが、第１係合部１ｍと第２係合部６ｍとが係合すると、その抵抗力が急に軽くなるので、クリック感が発生する。
【００７８】
また、液体容器６を液体容器収納部１０に挿入して行くと、吐出管２１のフランジ部２１ｆと液体用ノズル１２の第３係合部１２ｃとが当接する。そして、吐出管２１が第３係合部１２ｃにより押し下げられて、コイルばね２２が圧縮され、図４および図５に示すように、第３係合部１２ｃと第４係合部２１ｃとが係合する。このとき、フランジ部２１ｆ、第３係合部１２ｃ、および第４係合部２１ｃの各周縁部が傾斜しているので、第３係合部１２ｃとフランジ部２１ｆとが引っ掛かることなく摺動して、第３係合部１２ｃと第４係合部２１ｃとがスムーズに係合する。
【００７９】
第３係合部１２ｃと第４係合部２１ｃとが係合すると、液体容器６がコイルばね２２の弾性力により、ブラケット１５の水平部１５ｈに押し付けられる。また、吐出管２１の管軸と液体用ノズル１２の管軸とが一致するように、吐出管２１の径方向の位置が矯正されて、吐出管２１と液体用ノズル１２とが高さ方向Ｕ、Ｄに一直線に連通し、液体通路２１ａが液体用ノズル１２の基端口１２ｂと接続される。そして、液体容器収納部１０内で液体容器６が高さ方向Ｕ、Ｄに位置決めされて、液体容器収納部１０から液体容器６が脱落しないように保持される。吐出管２１の下端と液体容器６の内底部６ｔとの間には、所定の隙間Ｓが確保され、液体容器６内から吐出管２１の液体通路２１ａへの化粧水の通路となる。
【００８０】
さらに、第３係合部１２ｃとフランジ部２１ｆとが摺動するときに、液体容器６の挿入に対する抵抗力が高くなり、第３係合部１２ｃと第４係合部２１ｃとが係合すると、その抵抗力が急に軽くなるので、ここでもクリック感が発生する。
【００８１】
また、図４、図５、および図９に示すように、液体容器収納部１０の奥まで液体容器６を挿入することで、液体容器６の後面６ｂがケース１の中間パーツ１ｂの内周面に支持され、突出部６ｇが貫通孔１ｇに嵌入する。これにより、ケース１の後部の幅方向Ｌ、Ｒや高さ方向Ｕ、Ｄへの移動が制限される。
【００８２】
図４などに示すように、ケース１内に液体容器６と気体容器２が装着された状態で、噴霧ボタン９をＢ方向に押圧操作すると、バルブ３３がＢ方向に移動して、気体通路８ｇが開通する。すると、気体容器２に収容された炭酸ガスが、気体通路８ａ、８ｂ、８ｃ、８ｄ、８ｅ、８ｆ、８ｇ、８ｈを順に通って、気体用ノズル１１の基端口１１ｂから内部に流入し、気体用ノズル１１の先端口１１ａから前方Ｆに向かって噴射する。この噴射により、気体用ノズル１１の前方Ｆに負圧が生じる。このため、液体容器６に収容された化粧水が、液体用ノズル１２の内部と吐出管２１内の液体通路２１ａを通して吸引されて、液体用ノズル１２の先端口１２ａから吐出される。そして、この吐出された化粧水が、炭酸ガスの噴流と合流してミストとなり、図１の破線で示すように、噴霧口１４を通って前方Ｆへ噴霧される。
【００８３】
たとえば、噴霧する液体の補充・交換または液体容器６の交換・掃除などを行うには、液体容器収納部１０から液体容器６を離脱させる必要がある。そこで、図４、図５、および図９の状態から、保持解除構造３０の貫通孔１ｇより突出した液体容器６の突出部６ｇを、ケース１内に押し込む。すると、液体容器６がＦ方向に移動して、第１係合部１ｍと第２係合部６ｍの係合が外れるとともに、第３係合部１２ｃと第４係合部２１ｃの係合が外れて、液体容器６の前部が液体容器収納部１０から突出する。
【００８４】
このとき、第１係合部１ｍと第２係合部６ｍのＦ方向側の各面が傾斜しているので、第１係合部１ｍと第２係合部６ｍとの係合がスムーズに外れて、第１係合部１ｍと立壁６ｗとが引っ掛かることなく摺動する。また、第３係合部１２ｃ、および第４係合部２１ｃの周縁部が傾斜しているので、第３係合部１２ｃと第４係合部２１ｃとの係合がスムーズに外れて、第３係合部１２ｃとフランジ部２１ｆとが引っ掛かることなく摺動する。そして、液体容器６がＦ方向に移動する。
【００８５】
各係合部１ｍ、６ｍ、１２ｃ、２１ｃの係合が外れて、液体容器６の前部が液体容器収納部１０から突出すると、位置決め保持構造２０による液体容器６の保持が解除されて、液体容器６が液体容器収納部１０から抜去可能になる。この後、液体容器収納部１０から液体容器６をＦ方向に引き抜くことで、図２、図３、および図８に示すように、液体容器収納部１０から液体容器６を離脱させることができる。
【００８６】
ところで、液体容器６に収容される化粧水は高分子成分を含んでいる。このため、液体容器６から吐出管２１と液体用ノズル１２の内部を通して化粧水を吐出させた後、液体用ノズル１２の先端口１２ａ近傍の極細部分で高分子成分が残留して、液体用ノズル１２が目詰まりすることがある。この液体用ノズル１２の目詰まり対策として、図１０〜図１４に示すノズルクリーナ４０を用いる。
【００８７】
図１０は、噴霧装置１００とノズルクリーナ４０を示した斜視図である。図１１は、ノズルクリーナ４０の縦断面図である。図１２は、噴霧装置１００に対するノズルクリーナ４０の装着状態を示した正面図である。図１３は、噴霧装置１００に対するノズルクリーナ４０の装着状態を示した拡大断面図である。図１４は、噴霧装置１００におけるノズルクリーナ４０の使用状態を示した縦断面図である。
【００８８】
ノズルクリーナ４０は、ケース１の上方Ｕから液体用ノズル１２に対して着脱可能になっている。図１１に示すように、ノズルクリーナ４０は、操作子４１、コイルばね４２、ニードル４３、出没孔４４、および取付軸４５を有している。
【００８９】
操作子４１の下端部は、ノズルクリーナ４０の内部に挿入され、操作子４１の上端部は、ノズルクリーナ４０の上方Ｕへ突出している。操作子４１の中央には、フランジ部４１ｆが形成されている。フランジ部４１ｆがノズルクリーナ４０の内部に収容されることで、操作子４１がノズルクリーナ４０の本体から離脱しなくなっている。
【００９０】
コイルばね４２とニードル４３は、ノズルクリーナ４０の内部に収容されている。ニードル４３は、針部４３ａが下方Ｄを向くように、操作子４１の下端部に固定されている。針部４３ａの径は、液体用ノズル１２の最も小さい先端口１２ａ（図１３）の内径より小さくなっている。
【００９１】
コイルばね４２は、フランジ部４１ｆより下方で操作子４１の周囲に取り付けられている。コイルばね４２は、フランジ部４１ｆに当接して、操作子４１とニードル４３を上方Ｕへ付勢している。コイルばね４２は、本発明の「第２付勢部材」の一例である。
【００９２】
ノズルクリーナ４０には、下方Ｄへ突出するように、取付軸４５が設けられている。取付軸４５の内部には、ノズルクリーナ４０の内部空間に連通しつつ下方Ｄへ開口するように、出没孔４４が形成されている。ニードル４３の針部４３ａは、出没孔４４から出没可能になっている。
【００９３】
ノズルクリーナ４０の取付軸４５には、図１０に示すように、前方Ｆへ突出しつつ上下方向Ｕ、Ｄと平行にキー部４５ｋが形成されている。また、取付軸４５の下端部のキー部４５ｋと反対側には、切欠き部４５ｇが形成されている（図１１）。
【００９４】
図１０に示すように、ケース１の上パーツ１ａの上部には、挿通孔１ｊが形成されている。挿通孔１ｊは、図１３および図１４に示すように、液体用ノズル１２の先端口１２ａと対向している。ノズルユニット７の上部には、液体用ノズル１２の先端口１２ａと対向しつつ挿通孔１ｊと連通するように、挿通孔７ｊが形成されている。挿通孔１ｊの径より挿通孔７ｊの径の方が小さくなっている（図１０）。挿通孔７ｊの前部には、キー溝７ｍが形成されている。
【００９５】
ケース１の上パーツ１ａの上部には、スライドカバー１９が前後方向Ｆ、Ｂへスライド可能に取り付けられている。図１０、図１３、および図１４に示すように、スライドカバー１９を後方Ｂへスライドさせることで、挿通孔１ｊ、７ｊが露出する。また、図１〜図５に示すように、スライドカバー１９を前方Ｆへスライドさせることで、挿通孔１ｊ、７ｊがスライドカバー１９で覆われる。
【００９６】
スライドカバー１９の前部には、通気孔１９ａが形成されている。スライドカバー１９で挿通孔１ｊ、７ｊを覆った状態で、通気孔１９ａは挿通孔１ｊ、７ｊの直上に位置する（図５）。
【００９７】
図１０に示すように、スライドカバー１９を後方Ｂへスライドさせた後、ノズルクリーナ４０の取付軸４５を、挿通孔１ｊ、７ｊを通して、ノズルユニット７内に挿入する。このとき、取付軸４５のキー部４５ｋを挿通孔７ｊのキー溝７ｍに係合させる。これにより、図１２および図１３に示すように、ケース１上にノズルクリーナ４０が取り付けられ、ノズルクリーナ４０の出没孔４４内に液体用ノズル１２の先端口１２ａ近傍が嵌入する。つまり、液体用ノズル１２上にノズルクリーナ４０の取付軸４５が取り付けられ、液体用ノズル１２の内部とノズルクリーナ４０の出没孔４４とが連通する。
【００９８】
また、ニードル４３の針部４３ａの中心軸と、液体用ノズル１２の中心軸とが一致し、キー部４５ｋとキー溝７ｍとの係合により、ノズルクリーナ４０の回転と側方への移動が制限される。さらに、気体用ノズル１１の先端が切欠き部４５ｇに入り込むため、気体用ノズル１１が取付軸４５と接触して損傷するのを防止することができる。
【００９９】
ノズルクリーナ４０を液体用ノズル１２に取り付けた状態で、図１４に示すように、操作子４１を押下すると、ニードル４３の針部４３ａが出没孔４４から突出して、液体用ノズル１２の先端口１２ａから内部に挿入される。これにより、液体用ノズル１２内の目詰まりが解消される。
【０１００】
操作子４１の押下を解除すると、コイルばね４２の弾性力により操作子４１とニードル４３が上方Ｕへ押し上げられて、図１３に示すように、ニードル４３の針部４３ａが出没孔４４から退避して、ノズルクリーナ４０の内部へ没入する。
【０１０１】
図１２および図１３の状態から、ノズルクリーナ４０を上方Ｕへ引っ張ることで、ノズルクリーナ４０がケース１から離脱する。ノズルクリーナ４０の非使用は、ケース１からノズルクリーナ４０を外しておく。
【０１０２】
上記実施形態によると、前方Ｆに開口しているケース１の液体容器収納部１０に液体容器６をＢ方向に挿入することで、位置決め保持構造２０により液体容器６の液体通路２１ａが液体用ノズル１２の基端口１２ｂと接続され、液体容器６が液体容器収納部１０に保持される（図５）。また、開口している液体容器収納部１０から液体容器６をＦ方向に容易に引き抜くことができる（図２）。このため、たとえば、噴霧する液体の補充・交換または液体容器６の交換・掃除などを行う際に、ケース１を開閉（分解・組み立て）したり、液体容器６と液体通路２１ａを分離・接続したりしなくても、ケース１に対して液体容器６を簡単に着脱することができ、手間がかからない。よって、一般家庭でユーザが噴霧装置１００を使用する場合の使い勝手を向上させることが可能となる。
【０１０３】
また、上記実施形態では、気体容器２の上部でかつ両ノズル１１、１２の下部に、液体容器６が配置されるので（図４）、噴霧時以外のときに、重力により液体容器６内の化粧水が不用意に液体通路２１ｃを通って液体用ノズル１２側へ漏出するのを防止することができる。また、液体容器収納部１０からの液体容器６の露出面６ｆが、ケース１の外側面と同一の曲率半径を有する曲面であるので、露出面６ｆとケース１の外側面とが連続した同じ曲面を構成して、噴霧装置１００の外観を美しくすることができる（図１）。
【０１０４】
また、上記実施形態では、位置決め保持構造２０において、液体容器収納部１０に液体容器６を挿入したときに、ケース１の上パーツ１ａに設けられた第１係合部１ｍと、液体容器６に設けられた第２係合部６ｍとが係合する（図９）。これにより、液体容器６を挿抜方向Ｂ、Ｆに対して垂直な幅方向Ｌ、Ｒに位置決めして、液体容器収納部１０から脱落しないように液体容器６を保持することができる。
【０１０５】
また、上記実施形態では、位置決め保持構造２０において、液体容器収納部１０に液体容器６を挿入したときに、液体用ノズル１２に設けられた第３係合部１２ｃと、液体容器６の吐出管２１に設けられた第４係合部２１ｃとが係合する（図５）。これにより、液体容器６を挿抜方向Ｂ、Ｆに対して垂直な高さ方向Ｕ、Ｄに位置決めして、液体用ノズル１２の基端口１２ｂと吐出管２１の内空部２１ａとを連通させ、液体容器収納部１０から脱落しないように液体容器６を保持することができる。また、液体用ノズル１２と吐出管２１とが高さ方向Ｕ、Ｄに一直線に連通するので、気体用ノズル１２からの炭酸ガスの噴射で生じた負圧により、液体容器６に収容された化粧水を液体用ノズル１２の先端口１２ａまで効率よく吸引することができる。
【０１０６】
また、上記実施形態では、保持解除構造３０において、液体容器収納部１０の奥まで液体容器６を挿入することで、液体容器６の後面６ｂに設けられた突出部６ｇが、ケース１の後部に設けられた貫通孔１ｇから突出する（図４）。このため、突出部６ｇをケース１内へ押し込むことで、液体容器収納部１０内での位置決め保持構造２０による液体容器６の保持が解除されて、液体容器６がケース１より前方Ｆへ突出し、液体容器収納部１０内から液体容器６を容易に引き抜くことができる。
【０１０７】
また、上記実施形態では、液体容器収納部１０から液体容器６を離脱させた後、液体容器６の蓋１６を開けて、液体容器６の注入口６ａから内部に化粧水などの液体を注入したり、液体容器６内を掃除したりすることができる。また、液体容器６の蓋１６を閉じることで、液体容器６内の液体が注入口６ａから流出するのを防止することができる。さらに、係止具１７で蓋１６のリード部１６ｓを液体容器６に係止するので、蓋１６の紛失を防止することができる（図２）。
【０１０８】
また、上記実施形態では、開閉ユニット５により気体通路８ａ〜８ｈを開通させることで、気体容器２に収容された炭酸ガスを気体通路８ａ〜８ｈへ通して気体用ノズル１１の先端口１１ａから噴射することができる。そして、その噴射によって気体用ノズル１１の前方Ｆに生じた負圧により、液体容器６に収容された化粧水を吸引して液体用ノズル１２の先端口１２ａから吐出させ、該化粧水を炭酸ガスと合流させて噴霧口１４から噴霧することができる。また、両ノズル１１、１２がノズルユニット７に一体化されているので（図４）、ノズル１１、１２同士を位置合わせする必要がなく、最適な噴霧状態を保持することができる。
【０１０９】
さらに、上記実施形態では、ケース１や液体用ノズル１２の上部に、ノズルクリーナ４０を取り付けて、操作子４１を押圧操作することで、ニードル４３が出没孔４４から突出して、液体用ノズル１２の先端口１２ａから内部に挿入される（図１４）。このため、液体用ノズル１２の目詰まりを解消することができ、化粧水を正常に噴霧させ続けることができる。また、ノズルクリーナ４０の非使用時には、コイルばね４２の弾性力によって、ニードル４３が出没孔４４から退避して内部へ没入しているので（図１１）、ニードル４３で噴霧装置１００やユーザが損傷するのを防止することができる。
【０１１０】
本発明は、上述した以外にも種々の実施形態を採用することができる。たとえば、上記実施形態では、液体容器収納部１０が、気体容器２の上部でかつノズル１１、１２の下部に配置されて、ケース１の前側方Ｆへ開口している例を示したが、本発明はこれのみに限定するものではない。これ以外に、たとえば、液体容器収納部を気体容器と各ノズルの上方または下方に設けたり、上下、左右、または前後のいずれかの方向に液体容器収納部を開口させたりしてもよい。
【０１１１】
また、上記実施形態では、前向きに配置された気体用ノズル１１に対して、液体用ノズル１２を上向きに配置して、両ノズル１１、１２の向きを直交させた例を示したが、本発明はこれのみに限定するものではない。これ以外に、たとえば、前向きに配置された気体用ノズルに対して、液体用ノズルを下向き、横向き、または斜めに配置して、両ノズルの向きを直交または所定の傾斜角度で交差させてもよい。また、液体用ノズルの内側に気体用ノズルを内蔵して、両ノズルの向きを同じにしてもよい。
【０１１２】
また、上記実施形態では、液体容器収納部１０と液体容器６の幅方向Ｌ、Ｒの両端部に、第１係合部１ｍと第２係合部６ｍをそれぞれ設けた例を示したが、本発明はこれのみに限定するものではない。第１係合部と第２係合部は、液体容器収納部１０と液体容器６の幅方向の少なくとも一方の端部に設ければよい。たとえば、液体容器収納部１０と液体容器６の幅方向の一方の端部に第１係合部と第２係合部をそれぞれ設けた場合は、第１係合部と第２係合部が係合することで、液体容器６を幅方向の他方の端部にある液体容器収納部１０の側壁に押し付けて、液体容器６を幅方向に位置決めすればよい。
【０１１３】
また、上記実施形態では、液体容器収納部１０側にある第１係合部１ｍと第３係合部１２ｃを凸状に形成し、液体容器６側にある第２係合部６ｍと第４係合部２１ｃを凹状に形成した例を示したが、本発明はこれのみに限定するものではない。逆に、液体容器収納部１０側にある第１係合部と第３係合部を凹状に形成し、液体容器６側にある第２係合部と第４係合部を凸状に形成してもよい。
【０１１４】
また、上記実施形態では、図５などに示したように、液体用ノズル１２の基端口１２ｂ側の端部をノズルユニット７の本体から下方へ突出させて、基端口１２ｂが液体容器収納部１０を臨むようにした例を示したが、本発明はこれのみに限定するものではない。たとえば、図１５に示すように、液体用ノズル１２の基端口１２ｂ側の下端部１２ｄの周囲に、液体用ノズル１２を保護する保護部材２９を取り付けてもよい。
【０１１５】
図１５において、保護部材２９は、液体容器収納部１０の開口部１０ａに向かって延びるガイド部２９ａを有している。ガイド部２９ａは、開口部１０ａの上壁を構成する上パーツ１ａの下端面１ｑより、液体容器収納部１０の奥へ行くに連れて、基端口１２ｂの開口方向（下方）Ｄへ突出するように傾斜している。但し、ガイド部２９ａは、液体用ノズル１２の下端部１２ｄにある第３係合部１２ｃよりは下方Ｄへ突出していない。第３係合部１２ｃは、保護部材２９から下方Ｄへ突出している。
【０１１６】
このように、液体用ノズル１２の下端部１２ｄに保護部材２９を取り付けることで、液体容器収納部１０に液体容器６を挿入する際に、液体容器６や蓋１６が下端部１２ｄに直接当接することがなく、液体用ノズル１２が損傷したり位置ずれしたりするのを、保護部材２９により保護することができる。そして、液体容器収納部１０に液体容器６を挿入したときに、位置決め保持構造２０により液体容器６を位置決めして、液体容器６の液体通路２１ａと液体用ノズル１２の基端口１２ｂとを確実に接続することができる。
【０１１７】
また、上記実施形態では、ケース１に設けた貫通孔１ｇと液体容器６に設けた突出部６ｇとで保持解除構造３０を構成した例を示したが、本発明はこれのみに限定するものではない。これ以外に、液体容器収納部１０内から液体容器６を押し出すボタン、レバー、およびその他の機構から成る保持解除構造を備えてもよい。
【０１１８】
また、上記実施形態では、気体容器２から気体用ノズル１１に流れる気体を減圧する減圧ユニット４をケース１内に設けているが、これに加えて、気体容器２内から気体用ノズル１１へ流れる気体の流量を調整する流量調整手段を気体通路中に設けてもよい。
【０１１９】
また、上記実施形態では、液体容器６に化粧水を収容し、気体容器２に収容された炭酸ガスの噴流に乗せて化粧水を噴霧する例を示したが、本発明はこれのみに限定するものではない。たとえば、美容液などの他の液体を液体容器６に収容し、気体容器に収容された他の気体の噴流に乗せて液体を噴霧してもよい。
【０１２０】
さらに、上記実施形態では、一般家庭用の噴霧装置１００に本発明を適用した例を示したが、業務用など他の用途の噴霧装置においても、本発明を適用することは可能である。
【符号の説明】
【０１２１】
１    ケース
１ａ  上パーツ
１ｂ  中間パーツ
１ｃ  下パーツ
１ｇ  貫通孔
１ｊ、７ｊ  挿通孔
１ｍ  第１係合部
２    気体容器
２ｃ  流出口
５    開閉ユニット
６    液体容器
６ｆ  前面（露出面）
６ｇ  突出部
６ｍ  第２係合部
６ｔ  内底部
７    ノズルユニット
８ａ、８ｂ、８ｃ、８ｄ、８ｅ、８ｆ、８ｇ、８ｈ  気体通路
１０  液体容器収納部
１０ａ  開口部
１１  気体用ノズル
１１ａ  先端口
１１ｂ  基端口
１２  液体用ノズル
１２ａ  先端口
１２ｂ  基端口
１２ｃ  第３係合部
１２ｄ  下端部
１４  噴霧口
１５ｈ  ブラケットの水平部（液体容器収納部の壁面）
１６  蓋
１７  係止具
２０  位置決め保持構造
２１  吐出管
２１ａ  液体通路
２１ｂ  他端部
２１ｃ  第４係合部
２１ｕ  一端部
２２  コイルばね（第１付勢部材）
２９  保護部材
２９ａ  ガイド部
３０  保持解除構造
４０  ノズルクリーナ
４１  操作子
４２  コイルばね（第２付勢部材）
４３  ニードル
４４  出没孔
１００  噴霧装置
Ｂ、Ｆ  挿抜方向
Ｌ、Ｒ  幅方向
Ｕ、Ｄ  高さ方向
【図１】
2016159970.tif 000003
【図２】
2016159970.tif 000004
【図３】
2016159970.tif 000005
【図４】
2016159970.tif 000006
【図５】
2016159970.tif 000007
【図６】
2016159970.tif 000008
【図７】
2016159970.tif 000009
【図８】
2016159970.tif 000010
【図９】
2016159970.tif 000011
【図１０】
2016159970.tif 000012
【図１１】
2016159970.tif 000013
【図１２】
2016159970.tif 000014
【図１３】
2016159970.tif 000015
【図１４】
2016159970.tif 000016
【図１５】
2016159970.tif 000017